(57)【要約】【課題】  複数の伝送装置間で、第１の伝送ルートまたは第２の伝送ルートを介して光信号の送受信を行う際に、各伝送装置で同一の伝送ルートを選択すること。【解決手段】  第１の伝送装置は、第１の伝送ルート又は第２の伝送ルートからの光信号を受信する第１の受信部と、第１の受信部で選択した伝送ルートの選択を第１の送信部に指示する第１のルート制御部と、指示された伝送ルートと同一の伝送ルートに光信号を送信し、指示された伝送ルートとは異なる伝送ルートを遮断する第１の送信部とから構成され、第２の伝送装置は、第１の伝送ルート又は第２の伝送ルートからの光信号を受信する第２の受信部と、第２の受信部で選択した伝送ルートの選択を第２の送信部に指示する第２のルート制御部と、指示された伝送ルートと同一の伝送ルートに光信号を送信し、指示された伝送ルートとは異なる伝送ルートを遮断する第２の送信部とから構成される。【選択図】図１
2013150176.tif 000002
【特許請求の範囲】
【請求項１】
第1の伝送装置と、第２の伝送装置とを有し、前記第１の伝送装置と、前記第２の伝送装置が、第１の伝送ルート又は第２の伝送ルートを介して光信号を送受信する伝送システムであって、
前記第１の伝送装置は、
第１の送信元からの光信号を受信し、前記受信した光信号を前記第１の伝送ルート又は前記第２の伝送ルートのうち少なくとも一方の伝送ルートに送信する第１の送信部と、
前記第１の伝送ルート又は前記第２の伝送ルートからの光信号を選択し、前記選択した光信号を第１の送信先に送信する第１の受信部と、
前記第１の伝送ルート又は前記第２の伝送ルートのうち一方の伝送ルートの選択を前記第１の受信部に指示すると共に、前記第１の受信部で選択した伝送ルートへの光信号の送信を前記第１の送信部に指示する第１のルート制御部と、を有し、
前記第１の送信部は、
前記第１の受信部で選択した伝送ルートと同一の伝送ルートに、前記受信した光信号を送信し、前記第１の受信部で選択した伝送ルートとは異なる伝送ルートには、前記受信した光信号の送信を停止することを特徴とし、
前記第２の伝送装置は、
第２の送信元からの光信号を受信し、前記受信した光信号を前記第１の伝送ルート又は前記第２の伝送ルートのうち少なくとも一方の伝送ルートに送信する第２の送信部と、
前記第１の伝送ルート又は前記第２の伝送ルートからの光信号を選択し、前記選択した光信号を第２の送信先に送信する第２の受信部と、
前記第１の伝送ルート又は前記第２の伝送ルートのうち一方の伝送ルートの選択を前記第２の受信部に指示すると共に、前記第２の受信部で選択した伝送ルートへの光信号の送信を前記第２の送信部に指示する第２のルート制御部と、を有し、
前記第２の送信部は、
前記第２の受信部で選択した伝送ルートと同一の伝送ルートに、前記受信した光信号を送信し、前記第２の受信部で選択した伝送ルートとは異なる伝送ルートには、前記受信した光信号の送信を停止してなることを特徴とする伝送システム。
【請求項２】
請求項１に記載の伝送システムにおいて、
前記第１の送信部は、
前記第１の送信元から異なる波長の光信号を波長毎に受信し、受信した各光信号を、第１の分岐ルートと第２の分岐ルートに分岐させて出力する複数の第１の分岐カプラと、
前記各第１の分岐カプラから前記第１の分岐ルートに出力される光信号の出力レベルを調整する複数の第１の送信出力調整回路と、
前記各第１の分岐カプラから前記第２の分岐ルートに出力される光信号の出力レベルを調整する複数の第２の送信出力調整回路と、
前記各第１の送信出力調整回路で調整された光信号を多重化し、前記多重化された光信号を前記第１の伝送ルートに送信する第１の波長多重部と、
前記各第２の送信出力調整回路で調整された光信号を多重化し、前記多重化された光信号を前記第２の伝送ルートに送信する第２の波長多重部と、を有し、
前記第１の受信部は、
前記第１の伝送ルートからの光信号を波長毎に分離する第１の波長分離部と、
前記第２の伝送ルートからの光信号を波長毎に分離する第２の波長分離部と、
前記第１の波長分離部で分離された光信号の入力レベルを検出する複数の第１の入力レベル検出回路と、
前記第２の波長分離部で分離された光信号の入力レベルを検出する複数の第２の入力レベル検出回路と、
前記第１の波長分離部で分離された光信号又は前記第２の波長分離部で分離された光信号を波長毎に選択し、前記選択した各光信号を前記第１の送信先に送信する複数の第１の受信側光スイッチと、を有し、
前記第１のルート制御部は、
前記各第１の入力レベル検出回路の検出による入力レベルと前記各第２の入力レベル検出回路の検出による入力レベルとを比較し、入力レベルの高い方の入力レベル検出回路に接続された伝送ルートの選択を前記各第１の受信側光スイッチに指示する第１の光スイッチ切替回路と、
前記各第１の受信側光スイッチで選択した伝送ルートに対応した分岐ルートとは異なる分岐ルートに出力される光信号のレベルを減衰させるか、或いは前記異なる分岐ルートを遮断させるかを前記各第１の送信出力調整回路及び前記各第２の送信出力調整回路に指示する第１の送信信号制御回路と、を有し、
前記第２の送信部は、
前記第２の送信元から異なる波長の光信号を波長毎に受信し、受信した各光信号を、第３の分岐ルートと第４の分岐ルートに分岐させて出力する複数の第２の分岐カプラと、
前記各第２の分岐カプラから前記第３の分岐ルートに出力される光信号の出力レベルを調整する複数の第３の送信出力調整回路と、
前記各第２の分岐カプラから前記第４の分岐ルートに出力される光信号の出力レベルを調整する複数の第４の送信出力調整回路と、
前記各第３の送信出力調整回路で調整された光信号を多重化し、前記多重化された光信号を前記第１の伝送ルートに送信する第３の波長多重部と、
前記各第４の送信出力調整回路で調整された光信号を多重化し、前記多重化された光信号を前記第２の伝送ルートに送信する第４の波長多重部と、を有し、
前記第２の受信部は、
前記第１の伝送ルートからの光信号を波長毎に分離する第３の波長分離部と、
前記第２の伝送ルートからの光信号を波長毎に分離する第４の波長分離部と、
前記第３の波長分離部で分離された光信号の入力レベルを検出する複数の第３の入力レベル検出回路と、
前記第４の波長分離部で分離された光信号の入力レベルを検出する複数の第４の入力レベル検出回路と、
前記第３の波長分離部で分離された光信号又は前記第４の波長分離部で分離された光信号を波長毎に選択し、前記選択した各光信号を前記第１の送信先に送信する複数の第２の受信側光スイッチと、を有し、
前記第２のルート制御部は、
前記各第３の入力レベル検出回路の検出による入力レベルと前記各第４の入力レベル検出回路の検出による入力レベルとを比較し、入力レベルの高い方の入力レベル検出回路に接続された伝送ルートの選択を前記各第２の受信側光スイッチに指示する第２の光スイッチ切替回路と、
前記各第２の受信側光スイッチで選択した伝送ルートに対応した分岐ルートとは異なる分岐ルートに出力される光信号のレベルを減衰させるか、或いは前記異なる分岐ルートを遮断させるかを前記各第３の送信出力調整回路及び前記各第４の送信出力調整回路に指示する第２の送信信号制御回路と、を有することを特徴とする伝送システム。
【請求項３】
請求項１に記載の伝送システムにおいて、
前記第１の送信部は、
前記第１の送信元から異なる波長の光信号を波長毎に受信すると共に、第１の分岐ルート又は第２の分岐ルートのうち一方の分岐ルートを選択し、前記選択した分岐ルートに、前記受信した各光信号を出力する複数の第１の送信側光スイッチと、
前記各第１の送信側光スイッチから出力される光信号のうち前記第１の分岐ルートに出力される光信号を波長毎に多重化し、前記多重化された光信号を前記第１の伝送ルートに送信する第１の波長多重部と、
前記各第１の送信側光スイッチから出力される光信号のうち前記第２の分岐ルートに出力される光信号を波長毎に多重化し、前記多重化された光信号を前記第２の伝送ルートに送信する第２の波長多重部と、を有し、
前記第１の受信部は、
前記第１の伝送ルートからの光信号を波長毎に分離する第１の波長分離部と、
前記第２の伝送ルートからの光信号を波長毎に分離する第２の波長分離部と、
前記第１の波長分離部で分離された光信号の入力レベルを検出する複数の第１の入力レベル検出回路と、
前記第２の波長分離部で分離された光信号の入力レベルを検出する複数の第２の入力レベル検出回路と、
前記第１の波長分離部で分離された光信号又は前記第２の波長分離部で分離された光信号を選択し、前記選択した各光信号を前記第１の送信先に送信する複数の第１の受信側光スイッチと、を有し、
前記第１のルート制御部は、
前記各第１の入力レベル検出回路の検出による入力レベルと前記各第２の入力レベル検出回路の検出による入力レベルとを比較し、入力レベルの高い方の入力レベル検出回路に接続された伝送ルートの選択を前記各第１の受信側光スイッチに指示する第１の光スイッチ切替回路と、
前記各第１の受信側光スイッチで選択した伝送ルートに対応した分岐ルートの選択を前記各第１の送信側光スイッチに指示する第１の送信側光スイッチ制御回路と、を有し、
前記第２の送信部は、
前記第２の送信元から異なる波長の光信号を波長毎に受信すると共に、第３の分岐ルート又は第４の分岐ルートのうち一方の分岐ルートを選択し、前記選択した分岐ルートに、前記受信した各光信号を出力する複数の第２の送信側光スイッチと、
前記各第２の送信側光スイッチから出力される光信号のうち前記第３の分岐ルートに出力される光信号を波長毎に多重化し、前記多重化された光信号を前記第１の伝送ルートに送信する第３の波長多重部と、
前記各第２の送信側光スイッチから出力される光信号のうち前記第４の分岐ルートに出力される光信号を波長毎に多重化し、前記多重化された光信号を前記第２の伝送ルートに送信する第４の波長多重部と、を有し、
前記第２の受信部は、
前記第１の伝送ルートからの光信号を波長毎に分離する第３の波長分離部と、
前記第２の伝送ルートからの光信号を波長毎に分離する第４の波長分離部と、
前記第３の波長分離部で分離された光信号の入力レベルを検出する複数の第３の入力レベル検出回路と、
前記第４の波長分離部で分離された光信号の入力レベルを検出する複数の第４の入力レベル検出回路と、
前記第３の波長分離部で分離された光信号又は前記第４の波長分離部で分離された光信号を選択し、前記選択した各光信号を前記第１の送信先に送信する複数の第２の受信側光スイッチと、を有し、
前記第２のルート制御部は、
前記各第３の入力レベル検出回路の検出による入力レベルと前記各第４の入力レベル検出回路の検出による入力レベルとを比較し、入力レベルの高い方の入力レベル検出回路に接続された伝送ルートの選択を前記各第２の受信側光スイッチに指示する第２の光スイッチ切替回路と、
前記各第２の受信側光スイッチで選択した伝送ルートに対応した分岐ルートの選択を前記各第２の送信側光スイッチに指示する第２の送信側光スイッチ制御回路と、を有することを特徴とする伝送システム。
【請求項４】
請求項１に記載の伝送システムにおいて、
前記第１の送信部は、
前記第１の送信元から異なる波長の光信号を波長毎に受信し、受信した各光信号を、第１の分岐ルートと第２の分岐ルートに分岐させて出力する複数の第１の分岐カプラと、
前記各第１の分岐カプラから前記第１の分岐ルートに出力される光信号の出力レベルを調整すると共に、前記第１の分岐ルートに出力される光信号の異常を検出した場合、異常検出信号を出力する複数の第１の送信モニタ・出力調整回路と、
前記各第１の分岐カプラから前記第２の分岐ルートに出力される光信号の出力レベルを調整すると共に、前記第２の分岐ルートに出力される光信号の異常を検出した場合、異常検出信号を出力する複数の第２の送信モニタ・出力調整回路と、
前記各第１の送信モニタ・出力調整回路で調整された光信号を多重化し、前記多重化された光信号を前記第１の伝送ルートに送信する第１の波長多重部と、
前記各第２の送信モニタ・出力調整回路で調整された光信号を多重化し、前記多重化された光信号を前記第２の伝送ルートに送信する第２の波長多重部と、を有し、
前記第１の受信部は、
前記第１の伝送ルートからの光信号を波長毎に分離する第１の波長分離部と、
前記第２の伝送ルートからの光信号を波長毎に分離する第２の波長分離部と、
前記第１の波長分離部で分離された光信号の入力レベルを検出する複数の第１の入力レベル検出回路と、
前記第２の波長分離部で分離された光信号の入力レベルを検出する複数の第２の入力レベル検出回路と、
前記第１の波長分離部で分離された光信号又は前記第２の波長分離部で分離された光信号を波長毎に選択し、前記選択した各光信号を前記第１の送信先に送信する複数の第１の受信側光スイッチと、を有し、
前記第１のルート制御部は、
前記各第１の入力レベル検出回路の検出による入力レベルと前記各第２の入力レベル検出回路の検出による入力レベルとを比較し、入力レベルの高い方の入力レベル検出回路に接続された伝送ルートの選択を前記各第１の受信側光スイッチに指示する第１の光スイッチ切替回路と、
前記各第１の送信モニタ・出力調整回路から異常検出信号を受信した場合、前記第１の分岐ルートに出力される光信号のレベルを減衰させることを前記各第１の送信モニタ・出力調整回路に指示し、前記各第２の送信モニタ・出力調整回路から異常検出信号を受信した場合、前記第２の分岐ルートに出力される光信号のレベルを減衰させることを前記各第２の送信モニタ・出力調整回路に指示する第１の送信信号検出制御回路と、を有し、
前記第２の送信部は、
前記第２の送信元から異なる波長の光信号を波長毎に受信し、受信した各光信号を、第３の分岐ルートと第４の分岐ルートに分岐させて出力する複数の第２の分岐カプラと、
前記各第２の分岐カプラから前記第３の分岐ルートに出力される光信号の出力レベルを調整すると共に、前記第３の分岐ルートに出力される光信号の異常を検出した場合、異常検出信号を出力する複数の第３の送信モニタ・出力調整回路と、
前記各第２の分岐カプラから前記第４の分岐ルートに出力される光信号の出力レベルを調整すると共に、前記第４の分岐ルートに出力される光信号の異常を検出した場合、異常検出信号を出力する複数の第４の送信モニタ・出力調整回路と、
前記各第３の送信モニタ・出力調整回路で調整された光信号を多重化し、前記多重化された光信号を前記第１の伝送ルートに送信する第３の波長多重部と、
前記各第４の送信モニタ・出力調整回路で調整された光信号を多重化し、前記多重化された光信号を前記第２の伝送ルートに送信する第４の波長多重部と、を有し、
前記第２の受信部は、
前記第１の伝送ルートからの光信号を波長毎に分離する第３の波長分離部と、
前記第２の伝送ルートからの光信号を波長毎に分離する第４の波長分離部と、
前記第３の波長分離部で分離された光信号の入力レベルを検出する複数の第３の入力レベル検出回路と、
前記第４の波長分離部で分離された光信号の入力レベルを検出する複数の第４の入力レベル検出回路と、
前記第３の波長分離部で分離された光信号又は前記第４の波長分離部で分離された光信号を波長毎に選択し、前記選択した各光信号を前記第１の送信先に送信する複数の第２の受信側光スイッチと、を有し、
前記第２のルート制御部は、
前記各第３の入力レベル検出回路の検出による入力レベルと前記各第４の入力レベル検出回路の検出による入力レベルとを比較し、入力レベルの高い方の入力レベル検出回路に接続された伝送ルートの選択を前記各第２の受信側光スイッチに指示する第２の光スイッチ切替回路と、
前記各第３の送信モニタ・出力調整回路から異常検出信号を受信した場合、前記第３の分岐ルートに出力される光信号のレベルを減衰させることを前記各第３の送信モニタ・出力調整回路に指示し、前記各第４の送信モニタ・出力調整回路から異常検出信号を受信した場合、前記第４の分岐ルートに出力される光信号のレベルを減衰させることを前記各第４の送信モニタ・出力調整回路に指示する第２の送信信号検出制御回路と、を有することを特徴とする伝送システム。
【請求項５】
請求項１に記載の伝送システムにおいて、
前記第１の送信部は、
前記第１の送信元から異なる波長の光信号を波長毎に受信し、受信した各光信号を、第１の分岐ルートと第２の分岐ルートに分岐させて出力する複数の第１の分岐カプラと、
前記各第１の分岐カプラから前記第１の分岐ルートに出力される光信号の出力レベルを調整する複数の第１の送信出力調整回路と、
前記各第１の分岐カプラから前記第２の分岐ルートに出力される光信号の出力レベルを調整する複数の第２の送信出力調整回路と、
前記各第１の送信出力調整回路で調整された光信号を多重化し、前記多重化された光信号を前記第１の伝送ルートに送信する第１の波長多重部と、
前記各第２の送信出力調整回路で調整された光信号を多重化し、前記多重化された光信号を前記第２の伝送ルートに送信する第２の波長多重部と、を有し、
前記第１の受信部は、
前記第１の伝送ルートからの光信号を波長毎に分離する第１の波長分離部と、
前記第２の伝送ルートからの光信号を波長毎に分離する第２の波長分離部と、
前記第１の波長分離部で分離された光信号の入力レベルを検出する複数の第１の入力レベル検出回路と、
前記第２の波長分離部で分離された光信号の入力レベルを検出する複数の第２の入力レベル検出回路と、
前記第１の波長分離部で分離された光信号又は前記第２の波長分離部で分離された光信号を波長毎に選択し、前記選択した各光信号を前記第１の送信先に送信する複数の第１の受信側光スイッチと、
上位側装置から伝送ルートの選択指示を受けた場合、前記上位装置からの指示に従って、前記第１の波長分離部で分離された光信号又は前記第２の波長分離部で分離された光信号のうち一方の光信号の選択を強制する複数の第１のスイッチ強制制御部と、を有し、
前記第１のルート制御部は、
前記各第１の入力レベル検出回路の検出による入力レベルと前記各第２の入力レベル検出回路の検出による入力レベルとを比較し、入力レベルの高い方の入力レベル検出回路に接続された伝送ルートの選択を前記各第１の受信側光スイッチに指示する第１の光スイッチ切替回路と、
前記各第１の受信側光スイッチで選択した伝送ルートに対応した分岐ルートとは異なる分岐ルートに出力される光信号のレベルを減衰させるか、或いは前記異なる分岐ルートを遮断させるかを前記各第１の送信出力調整回路及び前記各第２の送信出力調整回路に指示する第１の送信信号制御回路と、を有し、
前記第２の送信部は、
前記第２の送信元から異なる波長の光信号を波長毎に受信し、受信した各光信号を、第３の分岐ルートと第４の分岐ルートに分岐させて出力する複数の第２の分岐カプラと、
前記各第２の分岐カプラから前記第３の分岐ルートに出力される光信号の出力レベルを調整する複数の第３の送信出力調整回路と、
前記各第２の分岐カプラから前記第４の分岐ルートに出力される光信号の出力レベルを調整する複数の第４の送信出力調整回路と、
前記各第３の送信出力調整回路で調整された光信号を多重化し、前記多重化された光信号を前記第１の伝送ルートに送信する第３の波長多重部と、
前記各第４の送信出力調整回路で調整された光信号を多重化し、前記多重化された光信号を前記第２の伝送ルートに送信する第４の波長多重部と、を有し、
前記第２の受信部は、
前記第１の伝送ルートからの光信号を波長毎に分離する第３の波長分離部と、
前記第２の伝送ルートからの光信号を波長毎に分離する第４の波長分離部と、
前記第３の波長分離部で分離された光信号の入力レベルを検出する複数の第３の入力レベル検出回路と、
前記第４の波長分離部で分離された光信号の入力レベルを検出する複数の第４の入力レベル検出回路と、
前記第３の波長分離部で分離された光信号又は前記第４の波長分離部で分離された光信号を波長毎に選択し、前記選択した各光信号を前記第１の送信先に送信する複数の第２の受信側光スイッチと、
前記上位側装置から伝送ルートの選択指示を受けた場合、前記上位装置からの指示に従って、前記第３の波長分離部で分離された光信号又は前記第４の波長分離部で分離された光信号のうち一方の光信号の選択を強制する複数の第２のスイッチ強制制御部と、を有し、
前記第２のルート制御部は、
前記各第３の入力レベル検出回路の検出による入力レベルと前記各第４の入力レベル検出回路の検出による入力レベルとを比較し、入力レベルの高い方の入力レベル検出回路に接続された伝送ルートの選択を前記各第２の受信側光スイッチに指示する第２の光スイッチ切替回路と、
前記各第２の受信側光スイッチで選択した伝送ルートに対応した分岐ルートとは異なる分岐ルートに出力される光信号のレベルを減衰させるか、或いは前記異なる分岐ルートを遮断させるかを前記各第３の送信出力調整回路及び前記各第４の送信出力調整回路に指示する第２の送信信号制御回路と、を有することを特徴とする伝送システム。
【請求項６】
請求項１に記載の伝送システムにおいて、
前記第１の送信部は、
前記第１の送信元から異なる波長の光信号を波長毎に受信すると共に、第１の分岐ルート又は第２の分岐ルートのうち一方の分岐ルートを選択し、前記選択した分岐ルートに、前記受信した各光信号を出力する複数の第１の送信側光スイッチと、
前記各第１の送信側光スイッチの出力による光信号のうち前記第１の分岐ルートに出力される光信号の出力レベルを検出すると共に、前記第１の分岐ルートに出力される光信号の異常を検出した場合、異常検出信号を出力する複数の第１の送信出力レベル検出回路と、
前記各第１の送信側光スイッチの出力による光信号のうち前記第２の分岐ルートに出力される光信号の出力レベルを検出すると共に、前記第２の分岐ルートに出力される光信号の異常を検出した場合、異常検出信号を出力する複数の第２の送信出力レベル検出回路と、
前記各第１の送信側光スイッチから出力される光信号のうち前記第１の分岐ルートに出力される光信号を波長毎に多重化し、前記多重化された光信号を前記第１の伝送ルートに送信する第１の波長多重部と、
前記各第１の送信側光スイッチから出力される光信号のうち前記第２の分岐ルートに出力される光信号を波長毎に多重化し、前記多重化された光信号を前記第２の伝送ルートに送信する第２の波長多重部と、を有し、
前記第１の受信部は、
前記第１の伝送ルートからの光信号を波長毎に分離する第１の波長分離部と、
前記第２の伝送ルートからの光信号を波長毎に分離する第２の波長分離部と、
前記第１の波長分離部で分離された光信号の入力レベルを検出する複数の第１の入力レベル検出回路と、
前記第２の波長分離部で分離された光信号の入力レベルを検出する複数の第２の入力レベル検出回路と、
前記第１の波長分離部で分離された光信号又は前記第２の波長分離部で分離された光信号を選択し、前記選択した各光信号を前記第１の送信先に送信する複数の第１の受信側光スイッチと、を有し、
前記第１のルート制御部は、
前記各第１の入力レベル検出回路の検出による入力レベルと前記各第２の入力レベル検出回路の検出による入力レベルとを比較し、入力レベルの高い方の入力レベル検出回路に接続された伝送ルートの選択を前記各第１の受信側光スイッチに指示する第１の光スイッチ切替回路と、
前記第１の送信出力レベル検出回路と前記第２の送信出力レベル検出回路からそれぞれ異常検出信号を受信しないことを条件に、前記各第１の受信側光スイッチで選択した伝送ルートに対応した分岐ルートの選択を前記各第１の送信側光スイッチに指示し、前記第１の送信出力レベル検出回路から異常検出信号を受信した場合、前記第２の分岐ルートの選択を前記各第１の受信側光スイッチに指示し、前記第２の送信出力レベル検出回路から異常検出信号を受信した場合、前記第１の分岐ルートの選択を前記各第１の受信側光スイッチに指示する複数の第１の送信信号検出制御回路と、を有し、
前記第２の送信部は、
前記第２の送信元から異なる波長の光信号を波長毎に受信すると共に、第３の分岐ルート又は第４の分岐ルートのうち一方の分岐ルートを選択し、前記選択した分岐ルートに、前記受信した各光信号を出力する複数の第２の送信側光スイッチと、
前記各第２の送信側光スイッチの出力による光信号のうち前記第３の分岐ルートに出力される光信号の出力レベルを検出すると共に、前記第３の分岐ルートに出力される光信号の異常を検出した場合、異常検出信号を出力する複数の第３の送信出力レベル検出回路と、
前記各第２の送信側光スイッチの出力による光信号のうち前記第４の分岐ルートに出力される光信号の出力レベルを検出すると共に、前記第４の分岐ルートに出力される光信号の異常を検出した場合、異常検出信号を出力する複数の第４の送信出力レベル検出回路と、
前記各第２の送信側光スイッチから出力される光信号のうち前記第３の分岐ルートに出力される光信号を波長毎に多重化し、前記多重化された光信号を前記第１の伝送ルートに送信する第３の波長多重部と、
前記各第２の送信側光スイッチから出力される光信号のうち前記第４の分岐ルートに出力される光信号を波長毎に多重化し、前記多重化された光信号を前記第２の伝送ルートに送信する第４の波長多重部と、を有し、
前記第２の受信部は、
前記第１の伝送ルートからの光信号を波長毎に分離する第３の波長分離部と、
前記第２の伝送ルートからの光信号を波長毎に分離する第４の波長分離部と、
前記第３の波長分離部で分離された光信号の入力レベルを検出する複数の第３の入力レベル検出回路と、
前記第４の波長分離部で分離された光信号の入力レベルを検出する複数の第４の入力レベル検出回路と、
前記第３の波長分離部で分離された光信号又は前記第４の波長分離部で分離された光信号を選択し、前記選択した各光信号を前記第１の送信先に送信する複数の第２の受信側光スイッチと、を有し、
前記第２のルート制御部は、
前記各第３の入力レベル検出回路の検出による入力レベルと前記各第４の入力レベル検出回路の検出による入力レベルとを比較し、入力レベルの高い方の入力レベル検出回路に接続された伝送ルートの選択を前記各第２の受信側光スイッチに指示する第２の光スイッチ切替回路と、
前記第３の送信出力レベル検出回路と前記第４の送信出力レベル検出回路からそれぞれ異常検出信号を受信しないことを条件に、前記各第２の受信側光スイッチで選択した伝送ルートに対応した分岐ルートの選択を前記各第２の送信側光スイッチに指示し、前記第３の送信出力レベル検出回路から異常検出信号を受信した場合、前記第４の分岐ルートの選択を前記各第２の送信側光スイッチに指示し、前記第４の送信出力レベル検出回路から異常検出信号を受信した場合、前記第３の分岐ルートの選択を前記各第２の送信側光スイッチに指示する複数の第２の送信信号検出制御回路と、を有することを特徴とする伝送システム。
【請求項７】
請求項１〜６のうちいずれか１項に記載の伝送システムにおいて、
前記第１の伝送ルートと前記第２の伝送ルートは、それぞれ一芯双方向の伝送路で構成されてなることを特徴とする伝送システム。
【発明の詳細な説明】
【技術分野】
【０００１】
本発明は、複数の伝送装置間で第１の伝送ルートまたは第２の伝送ルートを介して光信号の送受信を行う伝送システムに関する。
【背景技術】
【０００２】
光信号を伝送する伝送装置として、例えば、複数の光信号伝搬用パスのうち、いずれか１つのパスをプロテクション制御により選択し、選択したパスの光信号を受信する波長分割多重伝送装置が提案されている（特許文献１参照）。
【０００３】
前記特許文献１記載された伝送装置は、複数の光信号伝搬用パスを通じて伝搬されてきた光信号を、それぞれ互いに異なる波長の光信号として出力する複数の光信号出力部と、制御用周波数信号の周波数に基づいて、複数の光信号出力部からの光信号のうちいずれか１つに相当する波長の光を選択的に出力し得る波長選択光スイッチと、各光信号出力部からの光信号のうち、プロテクション制御により選択された光信号を出力すべく、波長選択スイッチに対して制御用周波数信号を供給する光スイッチ制御部と、を備えて構成される。この伝送装置によれば、波長選択光スイッチによるパス選択方向を常にモニタすることができる。
【先行技術文献】
【特許文献】
【０００４】
【特許文献１】特許第４０２９０９０号公報
【発明の概要】
【発明が解決しようとする課題】
【０００５】
光信号を伝送する伝送装置を構成するに際して、例えば、第１の送受信部と、第２の送受信部とをそれぞれ第１の伝送ルートまたは第２の伝送ルートを介して接続し、第１の送受信部と、第２の送受信部との間で第１の伝送ルートまたは第２の伝送ルートを介して光信号を送受信する伝送装置を構成する場合、特許文献１に記載された伝送装置を採用することが考えられる。
【０００６】
この際、第１の特許文献に記載された伝送装置の構成を採用すると、第１の送受信部では、第１の伝送ルートまたは第２の伝送ルートのうち一方の伝送ルートを選択することができ、第２の送受信部においても、第１の伝送ルートまたは第２の伝送ルートのうち一方の伝送ルートを選択することができる。ところが、第１の送受信部で第１の伝送ルートを選択しても、第２の送受信部で第１の伝送ルートを必ず選択するとは限らず、第１の送受信部で選択した伝送ルートと、第２の送受信部で選択した伝送ルートとが異なることがある。
【０００７】
第１の送受信部で選択した伝送ルートと、第２の送受信部で選択した伝送ルートが異なる場合、いずれか一方の伝送ルートに不具合が生じ、不具合が生じた伝送ルートの光ケーブルを交換する場合、作業員は、第１の伝送ルートと第２の伝送ルートの状態を診断し、診断結果から、いずれかの伝送ルートに障害が生じたかを判定する必要がある。また、作業員は、伝送ルートを変更する必要があるか否かを検討した上で、伝送路の工事を行う必要があるか否かを判断する必要がある。このため、伝送路の工事を始めるまでに時間がかかる。
【０００８】
本発明は、前記従来技術の課題に鑑みて為されたものであり、その目的は、複数の伝送装置間で、第１の伝送ルートまたは第２の伝送ルートを介して光信号の送受信を行う際に、各伝送装置で同一の伝送ルートを選択することができる伝送システムを提供することにある。
【課題を解決するための手段】
【０００９】
前記課題を解決するために、本発明は、第1の伝送装置と、第２の伝送装置とを有し、前記第１の伝送装置と、前記第２の伝送装置が、第１の伝送ルート又は第２の伝送ルートを介して光信号を送受信する伝送システムであって、前記第１の伝送装置は、第１の送信元からの光信号を受信し、前記受信した光信号を前記第１の伝送ルート又は前記第２の伝送ルートのうち少なくとも一方の伝送ルートに送信する第１の送信部と、前記第１の伝送ルート又は前記第２の伝送ルートからの光信号を選択し、前記選択した光信号を第１の送信先に送信する第１の受信部と、前記第１の伝送ルート又は前記第２の伝送ルートのうち一方の選択する伝送ルートを前記第１の受信部に指示すると共に、前記第１の受信部で選択した伝送ルートへの光信号の送信を前記第１の送信部に指示する第１のルート制御部と、を有し、前記第１の送信部は、前記第１の受信部で選択した伝送ルートと同一の伝送ルートに、前記受信した光信号を送信し、前記第１の受信部で選択した伝送ルートとは異なる伝送ルートには、前記受信した光信号の送信を減衰もしくは停止し、前記第２の伝送装置は、第２の送信元からの光信号を受信し、前記受信した光信号を前記第１の伝送ルート又は前記第２の伝送ルートのうち少なくとも一方の伝送ルートに送信する第２の送信部と、前記第１の伝送ルート又は前記第２の伝送ルートからの光信号を選択し、前記選択した光信号を第２の送信先に送信する第２の受信部と、前記第１の伝送ルート又は前記第２の伝送ルートのうち一方の伝送ルートの選択を前記第２の受信部に指示すると共に、前記第２の受信部で選択した伝送ルートへの光信号の送信を前記第２の送信部に指示する第２のルート制御部と、を有し、前記第２の送信部は、前記第２の受信部で選択した伝送ルートと同一の伝送ルートに、前記受信した光信号を送信し、前記第２の受信部で選択した伝送ルートとは異なる伝送ルートには、前記受信した光信号の送信を減衰もしくは停止することを特徴とする。
【発明の効果】
【００１０】
本発明によれば、複数の伝送装置間で、第１の伝送ルートまたは第２の伝送ルートを介して光信号の送受信を行う際に、各伝送装置で同一の伝送ルートを選択することができる。
【図面の簡単な説明】
【００１１】
【図１】第１実施例の構成図である。
【図２】WDM装置１００内の動作を説明するためのフローチャートである。
【図３】WDM装置２００内の動作を説明するためのフローチャートである。
【図４】第２実施例の構成図である。
【図５】第３実施例の構成図である。
【図６】第３実施例におけるWDM装置１００内の動作を説明するためのフローチャートである。
【図７】第３実施例におけるWDM装置１００内の常時監視動作を説明するためのフローチャートである。
【図８】第３実施例におけるWDM装置２００内の動作を説明するためのフローチャートである。
【図９】第４実施例の構成図である。
【図１０】第５実施例の構成図である。
【図１１】第６実施例の構成図である。
【図１２】第７実施例の構成図である。
【図１３】第８実施例の構成図である。
【図１４】第９実施例の構成図である。
【図１５】第１０実施例の構成図である。
【発明を実施するための形態】
【００１２】
以下、本発明の一実施例を図面に基づいて説明する。
【００１３】
（第１実施例）
図１は、本発明の第１実施例を示す伝送システムの全体構成図である。図１において、伝送システムは、波長分割多重伝送（以下、WDM（Wavelength  Division  Multiplexingと称することがある。）装置１００と、WDM装置２００とを有し、WDM装置１００と、WDM装置２００は、第１の伝送ルートを構成するAルート側伝送路３０１、３１１を介して接続されるとともに、第２の伝送ルートを構成するBルート側伝送路３０２、３１２を介して接続される。
【００１４】
WDM装置１００は、複数の送受信プロテクション部１１０−１〜１１０−nと、複数の波長多重部１２１、１２２と、複数の波長分離部１３１、１３２を有する第１の送受信部として構成され、波長多重部１２１が、Aルート側伝送路３０１に接続され、波長多重部１２２が、Bルート側伝送路３０２に接続され、波長分離部１３１が、Aルート側伝送路３１１に接続され、波長分離部１３２が、Bルート側伝送路３１２に接続される。
【００１５】
各送受信プロテクション部１１０は、２分岐カプラ１４１と、送信出力調整回路１６１、１６２と、伝送処理回路（TPND）１４２、１４３と、入力レベル検出回路１５１、１５２と、受信側光スイッチ１４４と、光スイッチ切替回路１４６と、送信信号制御回路１４７とから構成される。
【００１６】
各２分岐カプラ１４１は、第１の送信元（図示せず）から異なる波長の光信号（波長f１〜fnの光信号）を波長毎に受信し、受信した各光信号を、第１の伝送ルートまたは第２の伝送ルートに対応した２分岐ルート（第１の分岐ルートまたは第２の分岐ルート）に分岐させて出力する。各送信出力調整回路１６１、１６２は、各２分岐カプラ１４１で分岐された光信号の出力レベルを分岐ルート毎に調整する。例えば、各送信出力調整回路１６１は、各２分岐カプラ１４１から第１の分岐ルートに出力された光信号の出力レベルを調整し、各送信出力調整回路１６２は、各２分岐カプラ１４１から第２の分岐ルートに出力された光信号の出力レベルを調整する。
【００１７】
各伝送処理回路（TPND）１４２は、各送信出力調整回路１６１の出力による光信号を処理して波長多重部１２１に出力するとともに、波長分離部１３１からの光信号を処理して入力レベル検出回路１５１に出力する。各伝送処理回路（TPND）１４３は、送信出力調整回路１６２の出力による光信号を処理して波長多重部１２２に出力するとともに、波長分離部１３２からの光信号を処理して入力レベル検出回路１５２に出力する。
【００１８】
各入力レベル検出回路１５１は、伝送処理回路１４２の出力による光信号の入力レベルを検出する。各入力レベル検出回路１５２は、伝送処理回路１４３の出力による光信号の入力レベルを検出する。各受信側光スイッチ１４４は、入力レベル検出回路１５１の出力による光信号（第１の伝送ルートによる光信号）または入力レベル検出回路１５２の出力による光信号（第２の伝送ルートによる光信号）のうち一方の伝送ルートからの光信号を選択し、選択した光信号を第１の送信先（図示せず）に送信する。
【００１９】
各光スイッチ切替回路１４６は、入力レベル検出回路１５１の検出による入力レベルと、入力レベル検出回路１５２の検出による入力レベルとを比較し、比較結果を各受信側光スイッチ１４４に通知する光スイッチ切替部として機能する。
【００２０】
各送信信号制御回路１４７は、各受信側光スイッチ１４４からの通知を基に、各２分岐カプラ１４１から分岐されて出力される光信号のうち、各受信側光スイッチ１４４で選択した光信号の伝送ルートに対応した分岐ルートとは異なる分岐ルートに出力される光信号のレベルを減衰させるように、各送信出力調整回路１６１、１６２に指示する送信信号制御部として機能する。
【００２１】
例えば、各受信側光スイッチ１４４で選択した光信号の伝送ルートが、第１の伝送ルート（Aルート側伝送路３１１）である場合、各２分岐カプラ１４１から分岐されて出力される光信号のうち、２分岐カプラ１４１から第２の分岐ルートに出力される光信号（２分岐カプラ１４１から送信出力調整回路１６２に出力される光信号）のレベルを減衰させるように、送信出力調整回路１６１、１６２に指示される。この際、各送信信号制御回路１４７は、異なる分岐ルートを遮断させるように、送信出力調整回路１６１、１６２に指示する送信信号制御部として機能することもできる。
【００２２】
波長多重部１２１は、各伝送処理回路１４２から出力される光信号（波長f１〜fnの光信号）を波長毎に多重化し、多重化された光信号をAルート側伝送路３０１に出力する。波長多重部１２２は、各伝送処理回路１４３から出力される光信号を波長毎に多重化し、多重化された光信号をBルート側伝送路３０２に送信する。
【００２３】
波長分離部１３１は、Aルート側伝送路３１１から、多重化された光信号を受信し、受信した光信号を波長毎に分離し、分離された光信号を各伝送処理回路１４２に出力する。波長分離部１３２は、Bルート側伝送路３１２から、多重化された光信号を受信し、受信した光信号を波長毎に分離し、分離された光信号を各伝送処理回路１４３に出力する。
【００２４】
この際、２分岐カプラ１４１と、送信出力調整回路１６１、１６２と、伝送処理回路１４２、１４３と、波長多重部１２１、１２２は、第１の送信部を構成し、受信側光スイッチ１４４と、入力レベル検出回路１５１、１５２と、波長分離部１３１、１３２は、第１の受信部を構成し、光スイッチ切替回路１４６と、送信信号制御回路１４７は、第１のルート制御部を構成する。
【００２５】
WDM装置２００は、複数の送受信プロテクション部２１０−１〜２１０−nと、複数の波長多重部２２１、２２２と、複数の波長分離部２３１、２３２を有する第２の送受信部として構成され、波長多重部２２１が、Aルート側伝送路３１１に接続され、波長多重部２２２が、Bルート側伝送路３１２に接続され、波長分離部２３１が、Aルート側伝送路３０１に接続され、波長分離部２３２が、Bルート側伝送路３０２に接続される。
【００２６】
各送受信プロテクション部２１０は、２分岐カプラ２４１と、送信出力調整回路２６１、２６２と、伝送処理回路（TPND）２４２、２４３と、入力レベル検出回路２５１、２５２と、受信側光スイッチ２４４と、光スイッチ切替回路２４６と、送信信号制御回路２４７とから構成される。
【００２７】
各２分岐カプラ２４１は、第２の送信元（図示せず）から異なる波長の光信号（波長f１〜fnの光信号）を波長毎に受信し、受信した各光信号を、第１の伝送ルートまたは第２の伝送ルートに対応した２分岐ルート（第３の分岐ルートまたは第４の分岐ルート）に分岐させて出力する。各送信出力調整回路２６１、２６２は、各２分岐カプラ２４１で分岐された光信号の出力レベルを分岐ルート毎に調整する。例えば、各送信出力調整回路２６１は、各２分岐カプラ２４１から第３の分岐ルートに出力された光信号の出力レベルを調整し、各送信出力調整回路２６２は、各２分岐カプラ２４１から第４の分岐ルートに出力された光信号の出力レベルを調整する。
【００２８】
各伝送処理回路（TPND）２４２は、各送信出力調整回路２６１の出力による光信号を処理して波長多重部２２１に出力するとともに、波長分離部２３１からの光信号を処理して入力レベル検出回路２５１に出力する。各伝送処理回路（TPND）２４３は、送信出力調整回路２６２の出力による光信号を処理して波長多重部２２２に出力するとともに、波長分離部２３２からの光信号を処理して入力レベル検出回路２５２に出力する。
【００２９】
各入力レベル検出回路２５１は、伝送処理回路２４２の出力による光信号の入力レベルを検出する。各入力レベル検出回路２５２は、伝送処理回路２４３の出力による光信号の入力レベルを検出する。各受信側光スイッチ２４４は、入力レベル検出回路２５１の出力による光信号（第１の伝送ルートによる光信号）または入力レベル検出回路２５２の出力による光信号（第２の伝送ルートによる光信号）のうち一方の伝送ルートからの光信号を選択し、選択した光信号を第２の送信先（図示せず）に送信する。
【００３０】
各光スイッチ切替回路２４６は、入力レベル検出回路２５１の検出による入力レベルと、入力レベル検出回路２５２の検出による入力レベルとを比較し、比較結果を各受信側光スイッチ２４４に通知する光スイッチ切替部として機能する。
【００３１】
各送信信号制御回路２４７は、各受信側光スイッチ２４４からの通知を基に、各２分岐カプラ２４１から分岐されて出力される光信号のうち、各受信側光スイッチ２４４で選択した光信号の伝送ルートに対応した分岐ルートとは異なる分岐ルートに出力される光信号のレベルを減衰させるように、各送信出力調整回路２６１、２６２に指示する送信信号制御部として機能する。
【００３２】
例えば、各受信側光スイッチ２４４で選択した光信号の伝送ルートが、第１の伝送ルート（Aルート側伝送路３０１）である場合、各２分岐カプラ２４１から分岐されて出力される光信号のうち、２分岐カプラ２４１から第４の分岐ルートに出力される光信号（２分岐カプラ２４１から送信出力調整回路２６２に出力される光信号）のレベルを減衰させるように、送信出力調整回路２６１、２６２に指示される。この際、各送信信号制御回路２４７は、異なる分岐ルートを遮断させるように、送信出力調整回路２６１、２６２に指示する送信信号制御部として機能することもできる。
【００３３】
波長多重部２２１は、各伝送処理回路２４２から出力される光信号（波長f１〜fnの光信号）を波長毎に多重化し、多重化された光信号をAルート側伝送路３１１に出力する。波長多重部２２２は、各伝送処理回路２４３から出力される光信号を波長毎に多重化し、多重化された光信号をBルート側伝送路３１２に送信する。
【００３４】
波長分離部２３１は、Aルート側伝送路３０１から、多重化された光信号を受信し、受信した光信号を波長毎に分離し、分離された光信号を各伝送処理回路２４２に出力する。波長分離部２３２は、Bルート側伝送路３０２から、多重化された光信号を受信し、受信した光信号を波長毎に分離し、分離された光信号を各伝送処理回路２４３に出力する。
【００３５】
この際、２分岐カプラ２４１と、送信出力調整回路２６１、２６２と、伝送処理回路２４２、２４３と、波長多重部２２１、２２２は、第２の送信部を構成し、受信側光スイッチ２４４と、入力レベル検出回路２５１、２５２と、波長分離部２３１、２３２は、第２の受信部を構成し、光スイッチ切替回路２４６と、送信信号制御回路２４７は、第２のルート制御部を構成する。
【００３６】
次に、WDM装置１００の動作を図２のフローチャートに従って説明する。まず、WDM装置１００の運用が開始され（S１）、受信側光スイッチ１４４をAルート（第１の伝送ルート）に設定する（S２）。この設定は、予めWDM装置１００の運用を開始する際に、論理構成として、例えば、受信側光スイッチ１４４をAルートに設定する。なお、論理構成によっては、受信側光スイッチ１４４をBルートに設定することもできる。
【００３７】
次に、運用が開始されると、２分岐カプラ１４１の出力による光信号は、第１の分岐ルートと第２の分岐ルートに分岐される。分岐された各光信号は、送信出力調整回路１６１、伝送処理回路１４２、波長多重部１２１を介してAルート側伝送路３０１に出力されると共に、送信出力調整回路１６２、伝送処理回路１４３、波長多重部１２２を介してBルート側伝送路３０２に出力される。この際、入力レベル検出回路１５１、１５２において、受信信号のレベル状態が確認され、各入力レベル検出回路１５１、１５２の検出による入力レベルが、各入力レベル検出回路１５１、１５２から光スイッチ切替回路１４６へ通知される（S３）。
【００３８】
次に、光スイッチ切替回路１４６は、入力レベル検出回路１５１の検出レベルと、入力レベル検出回路１５２の検出レベルとを比較し、比較結果を受信側光スイッチ１４４に通知する（S４）。例えば、光スイッチ切替回路１４６は、入力レベルの高い方の分岐ルートを選択ルートとして決定し、決定した選択ルートを受信側光スイッチ１４４に通知する。この際、光スイッチ切替回路１４６は、一方の分岐ルートの入力レベルが減衰されたと判別した場合、または一方の分岐ルートが遮断されたと判別した場合には、減衰された分岐ルートもしくは遮断された分岐ルートとは異なる分岐ルートを選択ルートとして決定し、決定した選択ルートへの切り替えを受信側光スイッチ１４４に指示する。
【００３９】
次に、受信側光スイッチ１４４は、光スイッチ切替回路１４６からの指示に従って選択ルートの切り替えを行うとともに、送信信号制御回路１４７へ受信側光スイッチ１４４の選択ルートを通知する（S５）。この際、受信側光スイッチ１４４は、光スイッチ切替回路１４６から指示された選択ルートがAルートである場合には、そのままAルートを選択ルートとして保持し、選択ルートがBルートであると指示された場合には、選択ルートをBルートに切り替える。
【００４０】
送信信号制御回路１４７は、受信側光スイッチ１４４が選択した選択ルートとは逆の選択ルートに対応した分岐ルートに配置された送信出力調整回路へ、出力の減衰あるいは分岐ルートの断（遮断）を指示する（S６）。
【００４１】
例えば、受信側光スイッチ１４４がAルートを選択した場合、送信信号制御回路１４７は、Bルート側（第２の分岐ルート側）に配置された送信出力調整回路１６２に対して、光信号の減衰または第２の分岐ルートの遮断を指示する。この指示を受信した送信出力調整回路１６２は、２分岐カプラ１４１から分岐された光信号を減衰させる。この場合、WDM装置１００から、Bルート側伝送路３０２を介して、WDM装置２００へ伝送するための光信号の送信が停止されたことと等価になる。
【００４２】
一方、送信出力調整回路１６１は、２分岐カプラ１４１からの光信号をそのまま出力する（S７）。
【００４３】
これにより、WDM装置１００は、Aルート側伝送路３０１を介してのみ光信号をWDM装置２００へ送信する（S８）。
【００４４】
次に、WDM装置２００の動作を図３のフローチャートに従って説明する。まず、WDM装置１００による送信が実行され（S８）、その後、受信側光スイッチ２４４をAルートに設定する処理が行われる（S９）。
【００４５】
次に、入力レベル検出回路２５１、２５２は、それぞれ入力レベルを検出し、検出した入力レベルを光スイッチ切替回路２４６へ通知する（S１０）。
【００４６】
次に、光スイッチ切替回路２４６は、各入力レベル検出回路２５１、２５２の検出による入力レベルを基に受信側光スイッチ２４４の選択ルートを決定するとともに、受信側光スイッチ２４４に対して切り替えを指示する（S１１）。この場合、光スイッチ切替回路２４６は、入力レベル検出回路２５１の検出による入力レベルの方が、入力レベル検出回路２５２の検出による入力レベルよりも高いと判断するので、Aルートを選択ルートとして決定し、決定した選択ルートへの切り替えを受信側光スイッチ２４４に指示する（S１１）。
【００４７】
即ち、光スイッチ切替回路２４６は、Aルート側伝送路３０１のみが伝送路として用いられているので、Aルートを選択するための指示を受信側光スイッチ２４４に指示する。
【００４８】
受信側光スイッチ２４４は、指示された選択ルートへの切り替えを実行する（S１２）。この場合、光スイッチ２４４は、予めAルートに設定されているので、そのままAルートを選択ルートに保持する。なお、光スイッチ２４４が、予めBルートに設定された場合には、光スイッチ２４４は、選択ルートを、BルートからAルートへ切り替えるための処理を実行する。
【００４９】
受信側光スイッチ１４４が、Aルートを選択し、受信側光スイッチ２４４が、Aルートを選択することで、各受信側光スイッチ１４４、２４４の選択ルートは、同一となる（S１３）。
【００５０】
本実施例において、光スイッチ切替回路１４６と、送信信号制御回路１４７とを一体化した回路を構成し、また、光スイッチ切替回路２４６と、送信信号制御回路２４７とを一体化した回路を構成することもできる。
【００５１】
また、送信出力調整回路１６１、１６２、２６１、２６２に、光信号を減衰させる可変アッテネータを用いたり、光信号のルートを遮断する機械スイッチを実装したりすることもできる。
【００５２】
本実施例によれば、WDM装置１００とWDM装置２００との間で、Aルート側伝送路３０１、３１１またはBルート側伝送路３０２、３１２を介して光信号の送受信を行う際に、各WDM装置１００、２００で同一の伝送路を選択することができる。このため、受信側光スイッチ１４４、２４４が選択した選択ルートを確認するだけで、その時点で選択されている伝送ルートを確認できるので、光ケーブルを交換する際に、工事時間の短縮を図ることができる。
【００５３】
（第２実施例）
図４に、本発明に係る伝送システムの第２実施例の構成図を示す。本実施例は、各送受信プロテクション部１１０に、２分岐カプラ１４１の代わりに、送信側光スイッチ１７１を配置し、送信側光スイッチ１７１と伝送処理回路１４２、１４３とをそれぞれ接続し、送信信号制御回路１４７の代わりに、送信側光スイッチ制御回路１４８を配置し、また、各送受信プロテクション部２１０に、２分岐カプラ２４１の代わりに、送信側光スイッチ２７１を配置し、送信側光スイッチ２７１と伝送処理回路２４２と２４３とをそれぞれ接続し、送信信号制御回路２４７の代わりに、送信側光スイッチ制御回路２４８を配置したものであり、他の構成は、図１に示す第１実施例と同一である。
【００５４】
送信側光スイッチ１７１は、第１の送信元からの光信号を、Aルート（第１の伝送ルート）に対応して配置された伝送処理回路１４２に出力するか、あるいはBルートに対応して配置された伝送処理回路１４３に出力する。
【００５５】
送信側光スイッチ制御回路１４８は、受信側光スイッチ１４４が選択した選択ルートと同一のルートの選択を送信側光スイッチ１７１に指示する光スイッチ制御部として機能する。
【００５６】
例えば、送信側光スイッチ制御回路１４８は、受信側光スイッチ１４４が、Aルート（第１の伝送ルート）を選択した場合、Aルートの選択を送信側光スイッチ１７１に指示する。この場合、送信側光スイッチ１７１は、Aルートに対応した伝送処理回路１４２にのみ光信号を送信することになる。一方、送信側光スイッチ制御回路１４８は、受信側光スイッチ１４４が、Bルート（第２の伝送ルート）を選択した場合、Bルートの選択を送信側光スイッチ１７１に指示する。この場合、送信側光スイッチ１７１は、Bルートに対応した伝送処理回路１４３にのみ光信号を送信することになる。
【００５７】
送信側光スイッチ２７１は、第２の送信元からの光信号を、Aルート（第１の伝送ルート）に対応して配置された伝送処理回路２４２に出力するか、あるいはBルートに対応して配置された伝送処理回路２４３に出力する。
【００５８】
送信側光スイッチ制御回路２４８は、受信側光スイッチ２４４が選択した選択ルートと同一のルートの選択を送信側光スイッチ２７１に指示する光スイッチ制御部として機能する。
【００５９】
例えば、送信側光スイッチ制御回路２４８は、受信側光スイッチ２４４が、Aルート（第１の伝送ルート）を選択した場合、Aルートの選択を送信側光スイッチ２７１に指示する。この場合、送信側光スイッチ２７１は、Aルートに対応した伝送処理回路２４２にのみ光信号を送信することになる。一方、送信側光スイッチ制御回路２４８は、受信側光スイッチ２４４が、Bルート（第２の伝送ルート）を選択した場合、Bルートの選択を送信側光スイッチ２７１に指示する。この場合、送信側光スイッチ２７１は、Bルートに対応した伝送処理回路２４３にのみ光信号を送信することになる。
【００６０】
上記構成において、受信側光スイッチ１４４が、例えば、Aルートを選択した場合、光スイッチ制御回路１４８は、送信側光スイッチ１７１に対してAルートの選択を指示する。これにより、送信側光スイッチ１７１は、Aルートを選択し、受信した光信号を伝送処理回路１４２にのみ送信する。このため、WDM装置１００からWDM２００には、Aルート側伝送路３０１を介してのみ光信号が送信される。
【００６１】
一方、WDM装置２００において、光スイッチ切替回路２４６は、各入力レベル検出回路２５１、２５２の検出による入力レベルを比較し、この比較結果から、受信側光スイッチ２４４に対して、Aルートの選択を指示する。この場合、Aルート側伝送路３０１にのみ光信号が伝送され、入力レベル検出回路２５１の入力レベルが、入力レベル検出回路２５２の入力レベルよりも高くなるので、Aルートが選択される。受信側光スイッチ２４４が、Aルートを選択すると、受信側光スイッチ２４４は、入力レベル検出回路２５１の出力による光信号のみを受信し、受信した光信号を第２の送信先に送信する。
【００６２】
また、受信側光スイッチ２４４は、Aルートを選択したことを光スイッチ制御回路２４８に通知する。この通知を受信した光スイッチ制御回路２４８は、送信側光スイッチ２７１に対して、Aルートの選択を指示する。送信側光スイッチ１７１は、光スイッチ制御回路２４８からの指示に従って、Aルートを選択し、第２の送信元から送信された光信号を受信し、受信した光信号を伝送処理回路２４２にのみ送信する。
【００６３】
これにより、WDM装置２００は、WDM装置１００に対して、Aルート側伝送路３１１を介して光信号を送信することになる。即ち、受信側光スイッチ１４４が、Aルートを選択し、受信側光スイッチ２４４が、Aルートを選択することで、各受信側光スイッチ１４４、２４４の選択ルートは、同一となる。
【００６４】
なお、本実施例においては、光スイッチ１４４と、光スイッチ制御回路１４８とを一体化したり、光スイッチ２４４と、光スイッチ制御回路２４８とを一体化したりすることもできる。
【００６５】
本実施例によれば、WDM装置１００とWDM装置２００との間で、Aルート側伝送路３０１、３１１またはBルート側伝送路３０２、３１２を介して光信号の送受信を行う際に、各WDM装置１００、２００で同一の伝送路を選択することができる。このため、受信側光スイッチ１４４、２４４が選択した選択ルートを確認するだけで、その時点で選択されている伝送ルートを確認できるので、光ケーブルを交換する際に、工事時間の短縮を図ることができる。
【００６６】
（第３実施例）
図５に、本発明に係る伝送システムの第３実施例の構成図を示す。本実施例は、各送受信プロテクション部１１０に、送信出力調整回路１６１、１６２の代わりに、送信モニタ・出力調整回路１５３、１５４を配置し、送信信号制御回路１４７の代わりに、送信信号検出制御回路１４９を配置し、各送受信プロテクション部２１０に、送信出力調整回路２６１、２６２の代わりに、送信モニタ・出力調整回路２５３、２５４を配置し、送信信号制御回路２４７の代わりに、送信信号検出制御回路２４９を配置したものであり、他の構成は、図１に示す第１実施例と同一である。
【００６７】
送信モニタ・出力調整回路１５３、１５４は、２分岐カプラ１４１の出力による光信号の出力レベルを調整するとともに、２分岐カプラ１４１の出力による光信号の異常を検知したときに、異常検知信号を送信信号検出制御回路１４９に出力する。
【００６８】
送信信号検出制御回路１４９は、送信モニタ・出力調整回路１５３から異常検知信号を入力した場合、即ち、Aルートに対応した第１の分岐ルートの異常が検知された場合、受信側光スイッチ１４４に対して、AルートからBルートへの選択ルートの切り替えを指示し、送信モニタ・出力調整回路１５４から異常検知信号を入力した場合、即ち、Bルートに対応した第２の分岐ルートの異常が検知された場合、受信側光スイッチ１４４に対して、BルートからAルートへの選択ルートの切り替えを指示する。
【００６９】
送信モニタ・出力調整回路２５３、２５４は、２分岐カプラ２４１の出力による光信号の出力レベルを調整するとともに、２分岐カプラ２４１の出力による光信号の異常を検知したときに、異常検知信号を送信信号検出制御回路２４９に出力する。
【００７０】
送信信号検出制御回路２４９は、送信モニタ・出力調整回路２５３から異常検知信号を入力した場合、即ち、Aルートに対応した第１の分岐ルートの異常が検知された場合、受信側光スイッチ２４４に対して、AルートからBルートへの選択ルートの切り替えを指示し、送信モニタ・出力調整回路２５４から異常検知信号を入力した場合、即ち、Bルートに対応した第２の分岐ルートの異常が検知された場合、受信側光スイッチ２４４に対して、BルートからAルートへの選択ルートの切り替えを指示する。
【００７１】
次に、第３実施例におけるWDM装置１００の動作を図６のフローチャートに従って説明する。まず、WDM装置１００の運用が開始され（S２４）、受信側光スイッチ１４４をAルート（第１の伝送ルート）に設定する（S２５）。この設定は、予めWDM装置１００の運用を開始する際に、論理構成として、例えば、受信側光スイッチ１４４をAルートに設定する。なお、論理構成によっては、受信側光スイッチ１４４をBルートに設定することもできる。
【００７２】
次に、運用が開始されると、２分岐カプラ１４１の出力による光信号は、第１の分岐ルートと第２の分岐ルートに分岐される。分岐された各光信号は、送信モニタ・出力調整回路１５３、伝送処理回路１４２、波長多重部１２１を介してAルート側伝送路３０１に出力されると共に、送信モニタ・出力調整回路１５４、伝送処理回路１４３、波長多重部１２２を介してBルート側伝送路３０２に出力される。この際、入力レベル検出回路１５１、１５２において、受信信号のレベル状態が確認され、各入力レベル検出回路１５１、１５２の検出による入力レベルが、各入力レベル検出回路１５１、１５２から光スイッチ切替回路１４６へ通知される（S２６）。
【００７３】
次に、光スイッチ切替回路１４６は、入力レベル検出回路１５１の検出レベルと、入力レベル検出回路１５２の検出レベルとを比較し、比較結果を受信側光スイッチ１４４に通知する（S２７）。例えば、光スイッチ切替回路１４６は、入力レベルの高い方の分岐ルートを選択ルートとして決定し、決定した選択ルートを受信側光スイッチ１４４に通知する。この際、光スイッチ切替回路１４６は、一方の分岐ルートの入力レベルが減衰されたと判別した場合、または一方の分岐ルートが断（遮断）されたと判別した場合には、減衰された分岐ルートもしくは遮断された分岐ルートとは異なる分岐ルートを選択ルートとして決定し、決定した選択ルートへの切り替えを受信側光スイッチ１４４に指示する。
【００７４】
次に、受信側光スイッチ１４４は、光スイッチ切替回路１４６からの指示に従って選択ルートの切り替えを行うとともに、送信信号検出制御回路１４９へ受信側光スイッチ１４４の選択ルートを通知する（S２８）。この際、受信側光スイッチ１４４は、光スイッチ切替回路１４６から指示された選択ルートがAルートである場合には、そのままAルートを選択ルートとして保持し、選択ルートがBルートであると指示された場合には、選択ルートをBルートに切り替える。
【００７５】
送信信号検出制御回路１４９は、受信側光スイッチ１４４が選択した選択ルートとは逆の選択ルートに対応した分岐ルートに配置された送信モニタ・出力調整回路へ、出力の減衰あるいは分岐ルートの断（遮断）を指示する（S２９）。
【００７６】
例えば、受信側光スイッチ１４４がAルートを選択した場合、送信信号検出制御回路１４９は、Bルート側（第２の分岐ルート側）に配置された送信モニタ・出力調整回路１５４に対して、光信号の減衰または第２の分岐ルートの遮断を指示する。この指示を受信した送信モニタ・出力調整回路１５４は、２分岐カプラ１４１から分岐された光信号を減衰させる。この場合、WDM装置１００から、Bルート側伝送路３０２を介して、WDM装置２００へ伝送するための光信号の送信が停止されたことと等価になる。
【００７７】
一方、送信モニタ・出力調整回路１５３は、２分岐カプラ１４１からの光信号をそのまま出力する（S３０）。
【００７８】
これにより、WDM装置１００は、Aルート側伝送路３０１を介してのみ光信号をWDM装置２００へ送信する（S３１）。
【００７９】
次に、WDM装置１００内の常時監視動作を図７のフローチャートに従って説明する。
【００８０】
図７において、各送信モニタ・出力調整回路１５３、１５４は、送信側２分岐カプラ１４１の出力レベルを常時監視し、送信側２分岐カプラ１４１の出力レベルが減衰したことを検知した場合、もしくは送信側２分岐カプラ１４１で分岐される分岐ルートが遮断したことを検知した場合、Aルートに対応した第１の分岐ルートまたはBルートに対応した第２の分岐ルートに異常が発生した旨の異常検知信号を送信信号検出制御回路１４９へ通知する（S３２）。
【００８１】
例えば、送信モニタ・出力調整回路１５３は、２分岐カプラ１４１の出力レベルが減衰したこと検出した場合、もしくは２分岐カプラ１４１で分岐される第１の分岐ルートが遮断したことを検知した場合、Aルートに対応した第１の分岐ルートに異常が生じた旨の異常検知信号を送信信号検出制御回路１４９へ通知する。
【００８２】
一方、送信モニタ・出力調整回路１５４は、２分岐カプラ１４１の出力レベルが減衰したことを検出した場合、もしくは２分岐カプラ１４１で分岐される第２の分岐ルートが遮断したことを検知した場合、Bルートに異常が発生した旨の異常検知信号を送信信号検出制御回路１４９へ通知する。
【００８３】
送信信号検出制御回路１４９は、減衰もしくは遮断を検出したルートとは逆のルートへの切り替えを受信側光スイッチ１４４に指示する（S３３）。
【００８４】
例えば、送信信号検出制御回路１４９は、Aルートが異常である場合には、AルートからBルートへの切り替えを受信側光スイッチ１４４に指示し、Bルートが異常である場合には、BルートからAルートへの切り替えを受信側光スイッチ１４４に指示する。
【００８５】
次に、WDM装置２００内の動作を図８のフローチャートに従って説明する。まず、WDM装置１００による送信が実行され（S３１）、その後、受信側光スイッチ２４４をAルートに設定する処理が行われる（S３４）。
【００８６】
次に、入力レベル検出回路２５１、２５２は、それぞれ入力レベルを検出し、検出した入力レベルを光スイッチ切替回路２４６へ通知する（S３５）。
【００８７】
次に、光スイッチ切替回路２４６は、各入力レベル検出回路２５１、２５２の検出による入力レベルを基に受信側光スイッチ２４４の選択ルートを決定するとともに、受信側光スイッチ２４４に対して切り替えを指示する（S３６）。この場合、光スイッチ切替回路２４６は、入力レベル検出回路２５１の検出による入力レベルの方が、入力レベル検出回路２５２の検出による入力レベルよりも高いと判断するので、Aルートを選択ルートとして決定し、決定した選択ルートへの切り替えを受信側光スイッチ２４４に指示する。
【００８８】
即ち、光スイッチ切替回路２４６は、Aルート側伝送路３０１のみが伝送路として用いられているので、Aルートを選択するための指示を受信側光スイッチ２４４に指示する。
【００８９】
受信側光スイッチ２４４は、指示された選択ルートへの切り替えを実行する（S３７）。この場合、光スイッチ２４４は、予めAルートに設定されているので、そのままAルートを選択ルートに保持する。なお、光スイッチ２４４が、予めBルートに設定された場合には、光スイッチ２４４は、選択ルートを、BルートからAルートへ切り替えるための処理を実行する。
【００９０】
受信側光スイッチ１４４が、Aルートを選択し、受信側光スイッチ２４４が、Aを選択することで、各受信側光スイッチ１４４、２４４の選択ルートは、同一となる（S３８）。
【００９１】
本実施例によれば、WDM装置１００とWDM装置２００との間で、Aルート側伝送路３０１、３１１またはBルート側伝送路３０２、３１２を介して光信号の送受信を行う際に、各WDM装置１００、２００で同一の伝送路を選択することができる。このため、受信側光スイッチ１４４、２４４が選択した選択ルートを確認するだけで、その時点で選択されている伝送ルートを確認できるので、光ケーブルを交換する際に、工事時間の短縮を図ることができる。また、WDM装置１００とWDM装置２００は、選択した伝送ルートに異常が生じた際には、正常な伝送ルートに切り替えることができる。
【００９２】
（第４実施例）
図９に、本発明に係る伝送システムの第４実施例の構成図を示す。本実施例は、各送受信プロテクション部１１０に、上位側装置４０１からの指示に従って受信側光スイッチ１４４に選択ルートを指定するスイッチ強制制御部１５５を配置し、各送受信プロテクション部２１０に、上位側装置４０１からの指示に従って受信側光スイッチ２４４に対して選択ルートを指定するスイッチ強制制御部２５５を配置したものであり、他の構成は、図１に示す第１実施例と同一である。
【００９３】
スイッチ強制制御部１５５は、例えば、上位側装置４０１からAルートの選択が指示された場合、受信側光スイッチ１４４に対して、Aルートの選択を指示する。同様に、スイッチ強制制御部２５５は、上位側装置４０１からAルートの選択が指示された場合、受信側光スイッチ２４４に対して、Aルートの選択を指示する。
【００９４】
また、スイッチ強制制御部１５５は、上位側装置４０１からBルートの選択が指示された場合には、受信側光スイッチ１４４に対して、Bルートの選択を指示する。同様に、スイッチ強制制御部２５５は、上位側装置４０１からBルートの選択が指示された場合には、受信側光スイッチ２４４に対して、Bルートの選択を指示する。
【００９５】
上記構成において、２分岐カプラ１４１の出力による光信号は、第１の分岐ルートと第２の分岐ルートに分岐される。分岐された各光信号は、送信出力調整回路１６１、伝送処理回路１４２、波長多重部１２１を介してAルート側伝送路３０１に出力されると共に、送信出力調整回路１６２、伝送処理回路１４３、波長多重部１２２を介してBルート側伝送路３０２に出力される。この際、入力レベル検出回路１５１、１５２において、受信信号のレベル状態が確認され、各入力レベル検出回路１５１、１５２の検出による入力レベルが、各入力レベル検出回路１５１、１５２から光スイッチ切替回路１４６へ通知される。
【００９６】
光スイッチ切替回路１４６は、入力レベル検出回路１５１の検出レベルと、入力レベル検出回路１５２の検出レベルとを比較し、比較結果を受信側光スイッチ１４４に通知する。例えば、光スイッチ切替回路１４６は、入力レベルの高い方の分岐ルートを選択ルートとして決定し、決定した選択ルートを受信側光スイッチ１４４に通知する。
【００９７】
但し、受信側光スイッチ１４４が、例えば、スイッチ強制制御部１５５から、Aルートの選択が指示されている場合、受信側光スイッチ１４４は、光スイッチ切替回路１４６からの通知によらず、Aルートを選択し、送信信号制御回路１４７に対して、選択ルートを通知する。
【００９８】
送信信号制御回路１４７は、受信側光スイッチ１４４が選択した選択ルートとは逆の選択ルートに対応した分岐ルートに配置された送信出力調整回路へ、出力の減衰あるいは分岐ルートの断（遮断）を指示する。
【００９９】
例えば、受信側光スイッチ１４４がAルートを選択した場合、送信信号制御回路１４７は、Bルート側（第２の分岐ルート側）に配置された送信出力調整回路１６２に対して、光信号の減衰または第２の分岐ルートの遮断を指示する。この指示を受信した送信出力調整回路１６２は、例えば、２分岐カプラ１４１から分岐された光信号を減衰させる。一方、送信出力調整回路１６１は、２分岐カプラ１４１からの光信号をそのまま出力する。
【０１００】
これにより、WDM装置１００は、Aルート側伝送路３０１を介してのみ光信号をWDM装置２００へ送信する。WDM装置２００では、受信側光スイッチ２４４をAルートに設定する処理が行われ、入力レベル検出回路２５１、２５２は、それぞれ入力レベルを検出し、検出した入力レベルを光スイッチ切替回路２４６へ通知する。
【０１０１】
光スイッチ切替回路２４６は、各入力レベル検出回路２５１、２５２の検出による入力レベルを基に受信側光スイッチ２４４の選択ルートを決定するとともに、受信側光スイッチ２４４に対して切り替えを指示する。この場合、光信号が、WDM装置２００から、Aルート側伝送路３０１を介してのみWDM装置２００へ送信されるので、光スイッチ切替回路２４６は、入力レベル検出回路２５１の検出による入力レベルの方が、入力レベル検出回路２５２の検出による入力レベルよりも高いと判断するので、Aルートを選択ルートとして決定し、決定した選択ルートへの切り替えを受信側光スイッチ２４４に指示する。
【０１０２】
但し、受信側光スイッチ２４４が、例えば、スイッチ強制制御部２５５から、Aルートの選択が指示されている場合、受信側光スイッチ２４４は、光スイッチ切替回路２４６からの指示によらず、Aルートを選択し、送信信号制御回路２４７に対して、選択ルートを通知する。
【０１０３】
受信側光スイッチ２４４は、指示された選択ルートへの切り替えを実行する。この場合、光スイッチ２４４は、予めAルートに設定されているので、そのままAルートを選択ルートに保持する。
【０１０４】
受信側光スイッチ１４４が、Aルートを選択し、受信側光スイッチ２４４が、Aを選択することで、各受信側光スイッチ１４４、２４４の選択ルートは、同一となる。
【０１０５】
本実施例によれば、WDM装置１００とWDM装置２００との間で、Aルート側伝送路３０１、３１１またはBルート側伝送路３０２、３１２を介して光信号の送受信を行う際に、各WDM装置１００、２００で同一の伝送路を選択することができる。このため、受信側光スイッチ１４４、２４４が選択した選択ルートを確認するだけで、その時点で選択されている伝送ルートを確認できるので、光ケーブルを交換する際に、工事時間の短縮を図ることができる。また、WDM装置１００とWDM装置２００は、上位側装置４０１からの指示に従って同一の伝送ルートを選択することができる。
【０１０６】
（第５実施例）
図１０に、本発明に係る伝送システムの第５実施例の構成図を示す。本実施例は、各送受信プロテクション部１１０に、送信出力レベル検出回路１６３、１６４に追加し、光スイッチ制御回路１４８の代わりに、送信信号検出制御回路１５０を配置したものであり、他の構成は、図４に示す第２実施例と同一である。
【０１０７】
送信出力レベル検出回路１６３は、送信側光スイッチ１７１と伝送処理回路１４２との間に配置され、送信側光スイッチ１７１の出力レベルが正常にある場合には、光スイッチ１７１の出力による光信号をそのまま伝送処理回路１４２に出力し、光スイッチ１７１の出力レベルが異常になった場合には、異常検知信号を送信信号検出制御回路１５０に出力する。また、送信出力レベル検出回路１６３は、送信信号検出制御回路１５０から、出力レベルを減衰させる旨の指示を受けた場合には、光スイッチ１７１の出力レベルを減衰させる。
【０１０８】
送信出力レベル検出回路１６４は、送信側光スイッチ１７１と伝送処理回路１４３との間に配置され、送信側光スイッチ１７１の出力レベルが正常にある場合には、光スイッチ１７１の出力による光信号をそのまま伝送処理回路１４３に出力し、光スイッチ１７１の出力レベルが異常になった場合には、異常検知信号を送信信号検出制御回路１５０に出力する。また、送信出力レベル検出回路１６４は、送信信号検出制御回路１５０から、出力レベルを減衰させる旨の指示を受けた場合には、光スイッチ１７１の出力レベルを減衰させる。
【０１０９】
送信信号検出制御回路１５０は、光スイッチ１４４が選択した選択ルートの選択を光スイッチ１７１に指示すると共に、送信出力レベル検出回路１６３から異常検知信号を入力した場合、光スイッチ１７１の出力レベルを減衰させるように、送信出力レベル検出回路１６３に指示する。また、送信信号検出制御回路１５０は、送信出力レベル検出回路１６４から異常検知信号を入力した場合、光スイッチ１７１の出力レベルを減衰させるように、送信出力レベル検出回路１６４に指示する。
【０１１０】
送信出力レベル検出回路２６３は、送信側光スイッチ２７１と伝送処理回路２４２との間に配置され、送信側光スイッチ２７１の出力レベルが正常にある場合には、光スイッチ２７１の出力による光信号をそのまま伝送処理回路２４２に出力し、光スイッチ２７１の出力レベルが異常になった場合には、異常検知信号を送信信号検出制御回路２５０に出力する。また、送信出力レベル検出回路２６３は、送信信号検出制御回路２５０から、出力レベルを減衰させる旨の指示を受けた場合には、光スイッチ２７１の出力レベルを減衰させる。
【０１１１】
送信出力レベル検出回路２６４は、送信側光スイッチ２７１と伝送処理回路２４３との間に配置され、送信側光スイッチ２７１の出力レベルが正常にある場合には、光スイッチ２７１の出力による光信号をそのまま伝送処理回路２４３に出力し、光スイッチ２７１の出力レベルが異常になった場合には、異常検知信号を送信信号検出制御回路２５０に出力する。また、送信出力レベル検出回路２６４は、送信信号検出制御回路２５０から、出力レベルを減衰させる旨の指示を受けた場合には、光スイッチ２７１の出力レベルを減衰させる。
【０１１２】
送信信号検出制御回路２５０は、光スイッチ２４４が選択した選択ルートの選択を光スイッチ２７１に指示すると共に、送信出力レベル検出回路２６３から異常検知信号を入力した場合、光スイッチ２７１の出力レベルを減衰させるように、送信出力レベル検出回路２６３に指示する。また、送信信号検出制御回路２５０は、送信出力レベル検出回路２６４から異常検知信号を入力した場合、光スイッチ２７１の出力レベルを減衰させるように、送信出力レベル検出回路２６４に指示する。
【０１１３】
上記構成において、受信側光スイッチ１４４が、例えば、Aルートを選択した場合、送信信号検出制御回路１５０は、送信側光スイッチ１７１に対してAルートの選択を指示する。これにより、送信側光スイッチ１７１は、Aルートを選択し、受信した光信号を、送信出力レベル検出回路１６３を介して伝送処理回路１４２にのみ送信する。このため、WDM装置１００からWDM２００には、Aルート側伝送路３０１を介してのみ光信号が送信される。
【０１１４】
一方、WDM装置２００において、光スイッチ切替回路２４６は、各入力レベル検出回路２５１、２５２の検出による入力レベルを比較し、この比較結果から、受信側光スイッチ２４４に対して、Aルートの選択を指示する。この場合、Aルート側伝送路３０１にのみ光信号が伝送され、入力レベル検出回路２５１の入力レベルが、入力レベル検出回路２５２の入力レベルよりも高くなるので、Aルートが選択される。受信側光スイッチ２４４が、Aルートを選択すると、受信側光スイッチ２４４は、入力レベル検出回路２５１の出力による光信号のみを受信し、受信した光信号を第２の送信先に送信する。
【０１１５】
また、受信側光スイッチ２４４は、Aルートを選択したことを送信信号検出制御回路２５０に通知する。この通知を受信した送信信号検出制御回路２５０は、送信側光スイッチ２７１に対して、Aルートの選択を指示する。送信側光スイッチ１７１は、送信信号検出制御回路２５０からの指示に従って、Aルートを選択し、第２の送信元から送信された光信号を受信し、受信した光信号を伝送処理回路２４２にのみ送信する。
【０１１６】
これにより、WDM装置２００は、WDM装置１００に対して、Aルート側伝送路３１１を介して光信号を送信することになる。即ち、受信側光スイッチ１４４が、Aルートを選択し、受信側光スイッチ２４４が、Aルートを選択することで、各受信側光スイッチ１４４、２４４の選択ルートは、同一となる。
【０１１７】
本実施例によれば、WDM装置１００とWDM装置２００との間で、Aルート側伝送路３０１、３１１またはBルート側伝送路３０２、３１２を介して光信号の送受信を行う際に、各WDM装置１００、２００で同一の伝送路を選択することができる。このため、受信側光スイッチ１４４、２４４が選択した選択ルートを確認するだけで、その時点で選択されている伝送ルートを確認できるので、光ケーブルを交換する際に、工事時間の短縮を図ることができる。また、WDM装置１００とWDM装置２００は、選択した伝送ルートに異常が生じた際には、正常な伝送ルートに切り替えることができる。
【０１１８】
次に、図１１〜図１５に、それぞれ第６実施例〜第１０実施例の構成図を示す。
【０１１９】
第６実施例〜第１０実施例は、各送受信プロテクション部１１０に、波長多重部１２１、１２２と波長分離部１３１、１３２の代わりに、波長多重分離部１２３、１２４を配置し、各送受信プロテクション部２１０に、波長多重部２２１、２３２と波長分離部２３１、２３２の代わりに、波長多重分離部２２３、２２４を配置し、Aルート側伝送路３０１、３１１の代わりに、Aルート側伝送路３２１を用い、Bルート側伝送路３０２、３１２の代わりに、Bルート側伝送路３２２を用いたものであり、他の構成は、それぞれ第１実施例〜第５実施例と同一である。
【０１２０】
波長多重分離部１２３、１２４、２２３、２２４は、双方向の波長多重分離部として構成される。
【０１２１】
波長多重分離部１２３は、各伝送処理回路１４２から出力される光信号（波長f１〜fnの光信号）を波長毎に多重化し、多重化された光信号をAルート側伝送路３２１に出力し、Aルート側伝送路３２１から、多重化された光信号を受信し、受信した光信号を波長毎に分離し、分離された光信号を各伝送処理回路１４２に出力する。波長多重分離部１２４は、各伝送処理回路１４３から出力される光信号を波長毎に多重化し、多重化された光信号をBルート側伝送路３２２に送信し、Bルート側伝送路３２２から、多重化された光信号を受信し、受信した光信号を波長毎に分離し、分離された光信号を各伝送処理回路１４３に出力する。
【０１２２】
波長多重分離部２２３は、各伝送処理回路２４２から出力される光信号（波長f１〜fnの光信号）を波長毎に多重化し、多重化された光信号をAルート側伝送路３２１に出力し、Aルート側伝送路３２１から、多重化された光信号を受信し、受信した光信号を波長毎に分離し、分離された光信号を各伝送処理回路２４２に出力する。波長多重分離部２２４は、各伝送処理回路２４３から出力される光信号を波長毎に多重化し、多重化された光信号をBルート側伝送路３２２に送信し、Bルート側伝送路３２２から、多重化された光信号を受信し、受信した光信号を波長毎に分離し、分離された光信号を各伝送処理回路２４３に出力する。
【０１２３】
Aルート側伝送路３２１は、一芯双方向の伝送路であって、１回線の伝送路を構成し、Bルート側伝送路３２２は、一芯双方向の伝送路であって、１回線の伝送路を構成する。
【０１２４】
第１実施例〜第５実施例によれば、WDM装置１００とWDM装置２００との間で、Aルート側伝送路３０１、３１１またはBルート側伝送路３０２、３１２を介して光信号の送受信を行う際に、各WDM装置１００、２００で同一の伝送路を選択することができる。このため、受信側光スイッチ１４４、２４４が選択した選択ルートを確認するだけで、その時点で選択されている伝送ルートを確認できるので、光ケーブルを交換する際に、工事時間の短縮を図ることができる。
【０１２５】
それに対し、第６実施例〜第１０実施例によれば、WDM装置１００とWDM装置２００との間で光信号の送受信を行う際に、Aルート側伝送路３２１またはBルート側伝送路３２２を用いる場合では、送受信で１回線の伝送路が用いられるため、伝送路の不具合などで回線の交換が必要な場合は、伝送路障害等で工事を行う際に、伝送路側の不具合と考えられるルートの伝送路を交換することで対処することができる。
【０１２６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、ある実施例の構成に他の実施例の構成を加えることも可能である。
【０１２７】
また、上記の各構成、機能、処理部、処理手段等は、それらの一部又は全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid  State  Drive）等の記録装置、または、ＩＣ（Integrated  Circuit）カード、ＳＤ（Secure  Digital）メモリカード、ＤＶＤ（Digital  Versatile  Disc）等の記録媒体に記録して置くことができる。
【符号の説明】
【０１２８】
１００、２００  WDM装置、１１０、２１０  送受信プロテクション部、１２１、１２２、２２１、２２２  波長多重部、１３１、１３２、２３１、２３２  波長分離部、１４１、２４１  ２分岐カプラ、１４２、１４３、２４２、２４３  伝送処理回路、１４４、２４４  受信側光スイッチ、１４６、２４６  光スイッチ切替回路、１４７、２４７  送信信号制御回路、１４８、２４８  送信側光スイッチ制御回路、１４９，２４９  送信信号検出制御回路、  １５１、１５２、２５１、２５２  入力レベル検出回路、１５３，１５４、２５３，２５４  送信モニタ・出力調整回路、１５５、２５５  スイッチ強制制御部  、１６１、１６２、２６１、２６２  送信出力調整回路、１６３，１６４、２６３，２６４  送信出力レベル検出回路、  １７１、２７１  送信側光スイッチ、１４１、２４１  送信側光スイッチ制御回路、１４９、２４９  送信信号検出制御回路、１５０、２５０  送信信号検出制御回路、１２３、１２４、２２３、２２４  波長多重分離部、３０１、３１１  Aルート側伝送路、３０２、３１２  Bルート側伝送路、３２１  Aルート側伝送路、３２２  Bルート側伝送路、４０１  上位装置  。
【図１】
2013150176.tif 000003
【図２】
2013150176.tif 000004
【図３】
2013150176.tif 000005
【図４】
2013150176.tif 000006
【図５】
2013150176.tif 000007
【図６】
2013150176.tif 000008
【図７】
2013150176.tif 000009
【図８】
2013150176.tif 000010
【図９】
2013150176.tif 000011
【図１０】
2013150176.tif 000012
【図１１】
2013150176.tif 000013
【図１２】
2013150176.tif 000014
【図１３】
2013150176.tif 000015
【図１４】
2013150176.tif 000016
【図１５】
2013150176.tif 000017